(57)【要約】【課題】  取水操作によりタンク内の飲料水が取水されても、その取水された分の飲料水を飲料水容器の側から緩やかに補充し得るようにして、飲料水容器の耐久性低下や損傷発生のおそれを回避し得るようにした飲料水供給装置を提供する。【解決手段】  冷水タンクとウォータボトル３とを連通接続させるボトルピン１２の下端側を冷水タンク側に対し下向きに突出させる。突出部１２３に対し受け部となる凹部２２の下端位置よりも下位に空気導入孔１２４を貫通形成し、空気導入孔よりも下位に設定維持水位Ｌ1を設定し、下端開口１２５を設定維持水位Ｌ1よりも空気の侵入が生じない程度に下位に設定する。空気導入孔を水は通過させずに空気を通過させる所定径に設定し、水位低下時には空気導入孔から少量ずつ連続して空気吸い込みが生じるようにする。【選択図】      図６
2011207521.tif 000002
【特許請求の範囲】
【請求項１】
装置本体の上に載置された飲料水容器に対し導水管が連通される一方、この導水管の下端側が装置本体内の貯留タンク内と連通され、上記飲料水容器から貯留タンクに対し上記導水管を通して飲料水が補充供給されて貯留タンク内が所定の設定水位に維持されるように構成された飲料水供給装置であって、
上記導水管は、その下端が上記設定水位よりも下位で開口するように上記貯留タンク内に対し下向きに突出され、
この導水管の突出部には、その下端開口よりも上位であって上記貯留タンク内に臨んで空気導入孔が貫通形成されている、
ことを特徴とする飲料水供給装置。
【請求項２】
請求項１に記載の飲料水供給装置であって、
上記空気導入孔は、空気の通過を許容する一方、水の通過を阻止し得る程度の孔径に設定されている、飲料水供給装置。
【請求項３】
請求項１又は請求項２に記載の飲料水供給装置であって、
上記空気導入孔は、上記貯留タンク内であって、上記設定水位よりも上位において貫通形成されている、飲料水供給装置。
【発明の詳細な説明】
【技術分野】
【０００１】
本発明は、装置の上側に飲料水容器が着脱可能に載置され、この飲料水容器から飲料水が導水管を通してタンク内に供給され、取水弁の開閉操作によりタンク内から飲料水が供給されるようにした飲料水供給装置に関し、特に、飲料水容器からタンク内への導水を緩やかにすることにより飲料水容器の耐久性向上又は損傷発生の回避を図り得る技術に係る。
【背景技術】
【０００２】
従来、飲料水供給装置としては、ウォータサーバもしくはディスペンサと称されるものが提供されている。これは、交換可能に装着された飲料水容器としてのウォータボトルから飲料水の供給を内蔵タンクに受け、これを冷却して冷水状態に維持し、ユーザのレバー操作やコック操作により冷水状態の飲料水を供給するものが提供されている。このような装置と、これに装着されるウォータボトルとの受け部の構造として、ウォータボトルを天地逆転して上から装着することにより装置側の固定ピンがウォータボトルのキャップを押し開けるようにしたものが知られている（例えば特許文献１参照）。
【０００３】
又、このようなものと同様構造の飲料水供給装置において、肩部と底部にそれぞれ空気抜き孔を設けたウォータボトルを使用することも提案されている（例えば特許文献２）。
【先行技術文献】
【特許文献】
【０００４】
【特許文献１】特開２００７−８４１１７号公報
【特許文献２】特開２００５−３３５７１３号公報
【発明の概要】
【発明が解決しようとする課題】
【０００５】
ところで、発明者は飲料水供給装置の使用に伴い、飲料水容器に急激な変形・復元が繰り返されて耐久性を損なったり、損傷発生の要因にもなったりすると考えられる不都合の存在を見出した。
【０００６】
すなわち、図７に例示するように、飲料水容器１００は天地を逆にして口部１０１が装置本体１０２の凹部１０３に内嵌されることにより、装置本体１０２側から上に突出する導水管１０４が飲料水容器１００の口部１０１内に嵌入して連通状態にされており、この状態で飲料水容器１００内の飲料水と、装置本体１０２側のタンク１０５内の飲料水とが互いに連続し、タンク１０５内は一定水位Ｌ1に維持されている（図７（ａ）参照）。そして、ユーザのスイッチ操作により取水弁１０６が開切換されると、開状態の取水弁１０６を通して飲料水がタンク１０５から供給され、図示省略のコップに注がれるようになっている。この供給に伴いタンク１０５内の水位がＬ1から例えば水位Ｌ2（図７（ｂ）参照）に低下すると、水位低下に伴い、飲料水容器１００内から導水管１０４を通して飲料水が落とし込まれ、この落とし込みに伴い飲料水容器１００内が負圧になってその壁部１０７，１０７，１０７が内側に凹んで変形することになる。一方、水位低下に伴いタンク１０５内に臨む導水管１０４の下端開口が水位Ｌ2よりも上側になるため、この導水管１０４の下端開口から空気塊が飲料水容器内に一気に入り込むと、上記の内側に凹んでいた飲料水容器１００の壁部１０７，１０７，１０７が一気に元の形状に復元することになる（図７（ｃ）参照）。このような変形・復元が取水の度に繰り返されることになる。このため、通常は合成樹脂により形成されている飲料水容器の壁部の耐久性を弱めることになったり、最悪の場合にはひび割れ等の損傷が発生することになったりするおそれが考えられる。
【０００７】
本発明は、このような事情に鑑みてなされたものであり、その目的とするところは、取水操作によりタンク内の飲料水が取水されても、その取水された分の飲料水を飲料水容器の側から緩やかに補充し得るようにして、飲料水容器の耐久性低下や損傷発生のおそれを回避し得るようにした飲料水供給装置を提供することにある。
【課題を解決するための手段】
【０００８】
上記目的を達成するために、本発明では、装置本体の上に載置された飲料水容器に対し導水管が連通される一方、この導水管の下端側が装置本体内の貯留タンク内と連通され、上記飲料水容器から貯留タンクに対し上記導水管を通して飲料水が補充供給されて貯留タンク内が所定の設定水位に維持されるように構成された飲料水供給装置を対象にして、次の特定事項を備えることとした。すなわち、上記導水管を、その下端が上記設定水位よりも下位で開口するように上記貯留タンク内に対し下向きに突出させ、この導水管の突出部に、その下端開口よりも上位であって上記貯留タンク内に臨ませて空気導入孔を貫通形成することとした（請求項１）。
【０００９】
この発明の場合、ユーザの取水操作によって貯留タンク内の水位が低下して飲料水容器の壁部が負圧に基づき内側に凹んだとしても、その水位低下により空気導入孔から少量ずつ連続して空気が吸い込まれ、これにより、飲料水容器内に小さな気泡が連続して供給される結果、その連続供給される小さな気泡分ずつ空気置換されて少量ずつの飲料水が連続して飲料水容器の側から貯留タンクの側に補充される一方、飲料水容器の壁部は上記の小さな気泡分ずつの空気置換に基づき緩やかに復元することになる。これにより、急激な復元に起因する飲料水容器の壁部の耐久性低下や、ひび割れ発生等のおそれを回避し得ることになる。
【００１０】
上記発明における空気導入孔として、空気の通過を許容する一方、水の通過を阻止し得る程度の孔径に設定することができる（請求項２）。このようにすることにより、水位低下時に上記の如く空気導入孔から少量ずつ連続して空気の吸い込みが可能になる一方、設定水位に維持されているときには水の通過が阻止されることになる。
【００１１】
又、上記発明における空気導入孔として、上記設定水位よりも上位において貫通形成するようにすることができる（請求項３）。このようにすることにより、水位低下が発生すれば、即座に空気導入孔からの空気の吸い込みが開始され、飲料水の補充が行われる一方、設定水位に維持された静止時には空気導入孔に表面張力に基づく水膜が形成されて閉止されることになる。
【発明の効果】
【００１２】
以上、説明したように、本発明の飲料水供給装置によれば、ユーザの取水操作によって貯留タンク内の水位が低下して飲料水容器の壁部が負圧に基づき内側に凹んだとしても、その水位低下により空気導入孔から少量ずつ連続して空気を吸い込ませることができ、これにより、飲料水容器内に小さな気泡を連続して供給させることができるようになる。この結果、連続供給される小さな気泡分ずつ空気置換されて少量ずつの飲料水を連続して飲料水容器の側から貯留タンクの側に補充することができる一方、飲料水容器の壁部を上記の小さな気泡分ずつの空気置換に基づき緩やかに復元させることができるようになる。これにより、急激な復元に起因する飲料水容器の壁部の耐久性低下や、ひび割れ発生等のおそれを回避することができるようになる。
【００１３】
特に、請求項２によれば、空気導入孔として、空気の通過を許容する一方、水の通過を阻止し得る程度の孔径に設定することにより、水位低下時には上記の如く空気導入孔から少量ずつ連続して空気を吸い込むことができるようになる一方、設定水位に維持されているときには水の通過を阻止して少量であっても漏水の発生を阻止することができる。
【００１４】
又、請求項３によれば、空気導入孔として上記設定水位よりも上位において貫通形成するようにすることにより、水位低下が発生すれば、即座に空気導入孔からの空気の吸い込みを開始させることができ、飲料水を補充することができる一方、設定水位に維持された静止時には空気導入孔に表面張力に基づく水膜を形成して閉止させることができる。
【図面の簡単な説明】
【００１５】
【図１】本発明の実施形態の全体構成を示す模式図である。
【図２】実施形態の外観構成例を示す斜視図である。
【図３】図１の部分拡大図である。
【図４】図３の部分拡大図である。
【図５】図４のＡ−Ａ線における部分拡大図である。
【図６】水位低下時の図４対応図である。
【図７】従来の課題を説明するために飲料水供給装置の要部を示す模式図であり、図７（ａ）は取水の待機状態を、図７（ｂ）は取水による水位低下により飲料水容器が変形した状態を、図７（ｃ）は空気置換により飲料水容器が復元した状態を、それぞれ示す。
【発明を実施するための形態】
【００１６】
以下、本発明の実施形態として本発明の飲料水供給装置を例えばウォータサーバに適用した場合について説明する。
【００１７】
図１は実施形態に係る飲料水供給装置の全体構成を、図２はこの飲料水供給装置の外観構成例を示す。両図において、符号１は装置本体の外装となるハウジング、２（図１にのみ表れる）は貯留タンクとしての冷水タンク、３は上記冷水タンク２の上側に着脱可能に装着されて冷水タンク２への飲料水供給源となる飲料水容器としてのウォータボトル、４（図１にのみ表れる）は冷水タンク２内の水を冷却する冷凍回路、５（図１にのみ表れる）は冷水タンク２を介して水の供給を受ける温水タンク、６（図１にのみ表れる）は温水タンク５内の水を加熱するヒータ、７（図１にのみ表れる）は殺菌灯としての紫外線灯２９を点灯・消灯させる点灯制御や取水制御等の飲料水供給装置の作動制御を行うコントローラである。本実施形態では、飲料水として水を対象としたものを説明するが、この飲料水供給装置に適用される「飲料水」としては、ミネラルウォータ等の水の他に、お茶やジュース等の飲用に供される液体全般を含むものである。
【００１８】
ハウジング１の上面中央部位にはウォータボトル３を装着させるための連結凹部１１が形成されている。この連結凹部１１は、ウォータボトル３の首部３１を天地逆転した状態で内嵌させ得る内面形状を有すると共に、その中心軸に沿って上向きに突出する導水管としての筒状のボトルピン１２（図１参照）を備えている。この連結凹部１１に対し、ウォータボトル３の天地を逆にした状態で首部３１を上から下に内嵌させることにより、ボトルピン１２がウォータボトル３の首部３１内に上向きに挿入されてウォータボトル３内と冷水タンク２内とを互いに連通した状態にして、ウォータボトル３と冷水タンク２とが互いに連通接続されるようになっている。ウォータボトル３は「ガロンボトル」とも言われ、内部に飲料である水が充填・収容された状態で提供されるものである。そして、このウォータボトル３がウォータサーバに対し上記の如く装着され、装着されたウォータボトル３内の水が消費されて空になるたびに、新しいウォータボトル３に交換されるようになっている。なお、上記の連通接続の詳細な構造については後述する。
【００１９】
ハウジング１の前面の中段位置には冷水及び温水の２種類の飲料水を受けるコップ置き場１３が形成され、このコップ置き場１３の上側位置に上記冷水及び温水の各取水口２８１，５２１が配置されている。又、このコップ置き場１３の上側位置の前面には、ユーザが各種の入力操作を行うための操作パネル１４が配設されている。この操作パネル１４には温水取り出しのための温水用取水スイッチ１５と、冷水取り出しのための冷水用取水スイッチ１６とが配設されている。
【００２０】
冷水タンク２は上方に開放された容器であり、その上端開口に対し遮光板を兼ねる蓋２１がパッキン等を介して嵌め込まれて、密閉されている。蓋２１の略中央部位は上記連結凹部１１に対し下側から外嵌し得る凹部２２とされ、この凹部２２の中心位置には上記のボトルピン１２が挿通される貫通孔２２１が形成されている。さらに、冷水タンク２内の所定レベル位置には水平方向に拡がるバッフルプレート２３が配設され、このバッフルプレート２３の中央位置に対し上流端が開口するように接続管２４が接続されている。この接続管２４の下流端が温水タンク５の底部に連通されており、接続管２４を通して温水タンク５に対し温水変換用の水を冷水タンク２から取り出し得るようになっている。又、冷水タンク２の底部に対し凹状に形成された溜まり部２５から冷水取水管２６がハウジング１のコップ置き場１３の上方位置まで延ばされ、その冷水取水管２６の下流端側に設置された冷水取水弁２７が開作動されることにより冷水用の取水口２８１から冷水タンク２内の冷水が吐出されるようになっている。この冷水取水弁２７は電磁式開閉制御弁により構成されており、通常は閉状態に維持されて、ユーザが冷水用取水スイッチ１６をＯＮ操作（押圧操作）すると、その操作信号の出力を受けてコントローラ７により開切換制御されて冷水を取水口２８１から吐出させ、冷水用取水スイッチ１６がＯＦＦ（押圧解除）されると閉切換制御されて元の閉状態に戻るようになっている。
【００２１】
一方、冷水タンク２内には殺菌灯としての１又は複数（図例では１つ）の紫外線灯２９が設置され、これら紫外線灯２９の点灯による紫外線照射によって内部に貯留されている飲料水が殺菌処理されるようになっている。一方の紫外線灯２９の下端部は上記溜まり部２５内まで延ばされて冷水取水管２６の内方まで照らし得るようにされている。
冷凍回路４は、内部に冷媒を封入した循環経路４１上に蒸発器を構成する冷却管４２を備えている。そして、この冷却管４２を上記冷水タンク２の周囲に巻き付け、コンプレッサ４３により圧縮した冷媒を放熱器４４で放熱させて液化させ、これを膨張させて冷却管４２に供給することにより冷水タンク２内の水から熱を奪って所定の冷水温度範囲（例えば５℃〜１０℃）に冷却するようになっている。この冷凍回路４は冷水タンク２内の冷水温度の検出値に基づきコントローラ７による保冷運転制御により作動されるようになっている。
【００２２】
温水タンク５は冷水タンク２よりも下位に配置された密閉容器であり、コントローラ７により保温運転制御により作動されるヒータ６が内部に配設されて、温水タンク５内の飲料水を所定の温水温度範囲（例えば８０℃〜９０℃）に加熱・保温するようになっている。この温水タンク５には、上記接続管２４を通して冷水タンク２内から水頭差に基づき水が注水され、かつ、取水により減った分だけ補充されるようになっている。又、温水タンク５の頂部から温水取水管５１がハウジング１のコップ置き場の上方位置まで延ばされ、その温水取水管５１の下流端側に介装された温水取水弁５２が開作動されることによりその温水取水口５２１から温水タンク５内の温水が吐出されるようになっている。この温水取水弁５２も冷水取水弁２７と同様に電磁式開閉制御弁により構成されており、通常は閉状態に維持されて、ユーザが取水スイッチ１５をＯＮ操作（押圧操作）すると、その操作信号の出力を受けてコントローラ７により開切換制御されて温水を取水口５２１から吐出させ、取水スイッチ１５がＯＦＦ（押圧解除）されると元の閉状態に切換えるようになっている。
【００２３】
次に、ウォータボトル３と、冷水タンク２との連通接続の構造について、図３に基づいて詳細に説明する。冷水タンク２の一部を構成する蓋２１の略中央部位は上向きに開口する凹部２２とされ、この凹部２２に対しボトル受け部材１０の連結凹部１１が内嵌された状態で支持されている。つまり、凹部２２がボトル受け部材１０の連結凹部１１の受け部を構成し、連結凹部１１が凹部２２に支持された状態でボトル受け部材１０は蓋２１に対し係合等の手段により結合されている。連結凹部１１内には筒状のボトルピン１２が一体形成され、このボトルピン１２の下端側は凹部２２の貫通孔２２１を通して冷水タンク２の内部に下向きに所定寸法だけ突出した状態で開口される一方、ボトルピン１２の上端側は装着状態のウォータボトル３の首部３１内に嵌入されるようになっている。
【００２４】
ボトルピン１２（図４も併せて参照）の上端には半球状の口栓受け部１２１が形成され、その下側に連通孔１２２が貫通形成されている。加えて、ボトルピン１２の下端側の突出部１２３には空気導入孔１２４が貫通形成されている。一方、ウォータボトル３の首部３１の先端側にはキャップ３２が取り付けられており、このキャップ３２は首部３１内に突出する内筒状の口部３２１と、口部３２１に着脱可能に係止された口栓３２２とを有している。そして、本来は首部３１が上向きにされているウォータボトル３を天地逆転させて、首部３１を下向きにした状態で連結凹部１１に向けてウォータボトル３を降ろしていく。すると、ボトルピン１２の口栓受け部１２１が口部３２１内に入った後、口栓３２２を押し込むことにより、口部３２１との係止状態を外す一方、口栓３２２は口栓受け部１２１に係合されることになる。さらにウォータボトル３を降ろすと、口栓３２２が口栓１２１に保持された状態で、ボトルピン１２の上端側はさらに首部３１内に嵌入して、連通孔１２２が首部３１内で連通した状態になって、ウォータボトル３はボトル受け部材１０に載置されて装着が完了する。この状態では、ウォータボトル３内は、ボトルピン１２の連通孔１２２、ボトルピン１２の内部及びその突出部１２３の下端開口１２５を通して、冷水タンク２内と連通されることになる。
【００２５】
より詳細に説明すると、ボトルピン１２の突出部１２３は、図４に示すように、ボトル受け部材１０の連結凹部１１の受け部である凹部２２の下端位置（受け口位置）Ｐ1から所定寸法だけ下方に突出されている。空気導入孔１２４はその凹部２２の受け口位置Ｐ1よりも下位に形成され、静止時に一定水位に維持される設定水位Ｌ1が空気導入孔１２４の位置Ｐ2よりも下位に設定され、設定水位Ｌ1よりも下位（下端開口位置Ｐ3）で突出部１２３の下端開口１２５が下向きに開口されている。このような位置関係が好ましい設定である。なお、設定水位Ｌ1は、少なくとも受け口位置Ｐ1よりも下位であって、下端開口位置Ｐ3よりも上位の範囲に設定すればよい。下端開口位置Ｐ3は設定水位Ｌ1の状態にある水面上から空気が突出部１２３内に吸い込まれない程度だけ設定水位Ｌ1よりも少なくとも下位に設定する必要があり、冷水タンク２の側のコンパクト化の観点からの制約がなければより長く設定することが好ましい。
【００２６】
冷水タンク２内の冷水の水面が設定水位Ｌ1にて静止している状態では、ウォータボトル３内の飲料水がボトルピン１２内を通して冷水タンク２内の冷水と連続した状態で、バランスが保たれている。この状態では、空気導入孔１２４は設定水位Ｌ1よりも上位置で空中に開口していることになるものの、図５に示すように表面張力に基づく水膜Ｗが空気導入孔１２４を封止し、内部の飲料水が漏出しないように閉止するようになる。これは、設定水位Ｌ1に基づく水圧よりも、水膜Ｗの表面張力の方が大きくなった状態でバランスしているからであり、後述の取水時には所定量ずつ空気を吸い込みつつ、設定水位Ｌ1にて静止している状態では水膜Ｗにより封止されることになるように、空気導入孔１２４の孔径Ｄの設定が行われる。このような孔径Ｄとしては、ウォータボトル３が例えば１２リットル（約３ガロン）入りの容器である場合、次のような範囲に設定すればよい。
０．５ｍｍ  ＜  Ｄ  ＜  ５．０ｍｍ
好ましくは孔径Ｄを２．０ｍｍ以下に設定するようにすればよい。孔径Ｄの必要設定条件としては、（１）後述の取水時に水位低下したときにウォータボトル３の壁部が負圧に基づき内側に凹んだ後に急激に復元しないように少量ずつ連続して空気の吸い込みが生じる程度の孔径、（２）空気の通過を許容するが水の通過を阻止し得る孔径、すなわち、上記の水膜Ｗにより閉止することができ、かつ、突出部１２３の肉厚にもよるが空気の吸い込み限界となる微小孔よりも大径の孔径、である。
【００２７】
以上のような孔径設定によれば、ユーザの取水操作によって冷水タンク２内の水位が低下してウォータボトル３の壁部が負圧に基づき内側に凹んだとしても、その水位低下により空気導入孔１２４の水膜Ｗが破壊されて空気導入孔１２４から少量ずつ連続して空気が吸い込まれ、これにより、ウォータボトル３内に小さな気泡が連続して供給される結果、その連続供給される小さな気泡分ずつ空気置換されて少量ずつの飲料水が連続してウォータボトル３から冷水タンク２の側に補充される一方、ウォータボトル３の壁部は上記の小さな気泡分ずつの空気置換に基づき緩やかに復元することになる。これにより、急激な復元に起因するウォータボトル３の壁部の耐久性低下や、ひび割れ発生等のおそれを回避することができるようになる。
【００２８】
又、ユーザの取水操作によって冷水タンク２内の水位が設定水位Ｌ1から例えば下端開口位置Ｐ3よりも下位の水位Ｌ2まで低下した場合であっても、突出部１２３の下端開口１２５から空気塊が入り込むことはなく、上記と同様に、ウォータボトル３の壁部を緩やかに復元させることができるようになる。すなわち、図６に示すように、低下水位Ｌ2が突出部１２３の下端開口１２５よりも下位になったとしても、空気導入孔１２４から少量ずつ連続して空気が吸い込まれる結果、その少量ずつの連続的な空気置換により下端開口１２５から冷水が少量の流量で連続して落とし込み供給されることになる。そして、比較的緩やかな流量でかつ連続して冷水が落とし込み供給されている限り、下端開口１２５から空気が入り込むことはなく、空気導入孔１２４からの少量ずつの空気が安定的に連続吸い込みされる結果、ウォータボトル３の壁部を緩やかに復元させることができるようになる。
【００２９】
従って、ユーザによる取水操作に基づく取水量の大小如何に拘わらず、つまり、取水操作に起因する冷水タンク２内の水位低下の如何に拘わらず、空気導入孔１２４から少量ずつでかつ連続した空気を吸い込みつつ、この空気の吸い込みによってウォータボトル３内から少量ずつでかつ連続して飲料水を冷水タンク２の側に供給することができるようになる。そして、冷水タンク２の側への供給により水位が徐々に上昇して設定水位Ｌ1に至れば、水圧と空気導入孔１２４における水の表面張力とのバランスに基づき、水膜Ｗが空気導入孔１２４に形成されて空気の吸い込みが停止され、この結果、ウォータボトル３から冷水タンク２への飲料水の供給が停止されて、設定水位Ｌ1に維持されることになる。
【００３０】
＜他の実施形態＞
なお、本発明は上記実施形態に限定されるものではなく、その他種々の実施形態を包含するものである。すなわち、本発明を適用する対象として図１等に例示したもの以外の構成であっても、本発明を適用することができる。例えば、冷水タンク２の他に温水タンク５をも備えたものを例示したが、温水タンク５を省略して冷水タンク２による冷水のみを取水可能に飲料水供給装置を構成するようにしてもよい。
【００３１】
又、上記実施形態では、導水管としてのボトルピン１２をボトル受け部材１０に一体形成し、このボトル受け部材１０を冷水タンク２を構成する蓋２１に結合させるようにしているが、これに限らず、上記のボトル受け部材を省略して、導水管としてのボトルピンを冷水タンク２の側に形成するようにしてもよい。
【符号の説明】
【００３２】
１        ハウジング（装置本体のハウジング）
２        冷水タンク（貯留タンク）
３        ウォータボトル（飲料水容器）
１２      ボトルピン（導水管）
１２２    連通孔
１２３    突出部
１２４    空気導入孔
１２５    下端開口
【図１】
2011207521.tif 000003
【図２】
2011207521.tif 000004
【図３】
2011207521.tif 000005
【図４】
2011207521.tif 000006
【図５】
2011207521.tif 000007
【図６】
2011207521.tif 000008
【図７】
2011207521.tif 000009